(57)【要約】  【課題】鍔のついた眼鏡付き帽子において比較的安全な構成で装着感を高めることを課題とする。    【解決手段】眼鏡付き帽子として、鍔の付いた帽子本体と、前記帽子本体の前面表側に上下方向にスライド可能に固定される眼鏡と、前記鍔に設けられる前記眼鏡が通ることができるスリット状の貫通孔とから構成する。このような構成により、収納時には頭部前面に沿って眼鏡を収納できるので、重くならず、また、眼鏡も視界にほとんど入らず、また、使用時にも眼鏡が顔面を圧迫することがなく、さらに、着脱時においても帽子を脱ぐ必要もないので、快適に装着することができる。また、眼鏡が直接頭部に接触することがないので比較的安全な構成とすることができる。【選択図】  図１
2007138350.tif 000002
【特許請求の範囲】
【請求項１】
鍔の付いた帽子本体と、
前記帽子本体の前面表側に上下方向にスライド可能に固定される眼鏡と、
前記鍔に設けられる前記眼鏡が通ることができるスリット状の貫通孔と
を有する眼鏡付き帽子。
【請求項２】
前記眼鏡は任意のスライド位置で固定可能に形成される請求項１に記載の眼鏡付き帽子。
【請求項３】
前記貫通孔の内側に前記眼鏡の表面を拭くことができる部材からなる眼鏡拭き部が形成される請求項１又は２に記載の眼鏡付き帽子。
【発明の詳細な説明】
【技術分野】
【０００１】
本発明は眼鏡が設けられた帽子に関する。なお、本願において眼鏡には色付き眼鏡であるサングラスが含まれる。
【背景技術】
【０００２】
従来、眼鏡と帽子を組み合わせた眼鏡付き帽子が種々提案されている。このような眼鏡付き帽子は、眼鏡を装着した状態と、眼鏡をはずした状態のいずれの状態にもすることができるように形成されるものが多く、使用の利便性からみてもこのような構成が望ましい。また、眼鏡と組み合わせた帽子は野外で日除けとしての役割を果たすために鍔が設けられることが一般的である。従来の鍔の付いた眼鏡付き帽子において、眼鏡の着脱の方式には次のようなものがある。まず一つめは、下記特許文献１に記載されているように帽子の鍔の裏面に眼鏡を回動可能に取り付けて、不使用時には眼鏡を鍔に平行に沿わせて収納し、使用時には鍔にほぼ垂直になるように垂下させて眼の正面に位置づけるようにする方式である。二つめは、下記特許文献２に記載されているように帽子本体の前面の裏面に眼鏡を収容し、これをスライド可能に保持することにより、不使用時には帽子本体前面の裏側に眼鏡を位置づけ、使用の際には、下方にスライドさせて使用する方式である。その他に、特許文献３、４に示されるように帽子本体前面の表側に眼鏡を位置づけておき、眼鏡のツルの先端を帽子に回動可能に固定することで、眼鏡を後方から回して眼の正面に位置づけたり、眼鏡のツルを弾性体により構成される紐で帽子に固定し、この紐を伸ばすことで鍔をまたいで眼鏡を眼の正面に位置づける方式のものも提案されている。  
【特許文献１】実開昭５５−１３９１２４号公報
【特許文献２】実用新案登録第１５０１９６４号公報
【特許文献３】実開昭５９−１２９８４０号公報
【特許文献４】実開昭５９−１２９８３９号公報
【発明の開示】
【発明が解決しようとする課題】
【０００３】
ところで、上記特許文献１に記載の方法では、収容した眼鏡が鍔の裏面に位置するので鍔が重くなるとともに、収容した眼鏡が視界に入るために装着感はあまりよくない。これに対して特許文献２に記載の方法では、収納した眼鏡は頭部に沿うのであまり重くならず、また、収容した眼鏡も視界に入ることはない。しかし、この方法だと、帽子前面に衝撃を受けた場合、頭部に直接眼鏡が当たると怪我をしやすいため、これを防止する工夫が必要になる。特許文献３、４に記載の発明は、収納時にあまり重くならず視界に入らないようにすることができ、さらに、頭部に眼鏡が当たらないので比較的安全である。しかし、特許文献３に記載されるもののようにツルを回動させる構成を採ると、眼鏡を着脱する度ごとに帽子を脱ぐ必要があるために面倒であり、特許文献４に記載されるもののようにツルを弾性体の紐で帽子に連結するものの場合は、紐が眼鏡を引っ張るために顔を圧迫し装着感を悪化させることとなる。
本発明は以上のことに鑑み、鍔のついた眼鏡付き帽子において比較的安全な構成で装着感を高めることを課題とする。
【課題を解決するための手段】
【０００４】
上記課題を解決するために、本発明は次のような構成を有する。
請求項１に記載の発明は、鍔の付いた帽子本体と、前記帽子本体の前面表側に上下方向にスライド可能に固定される眼鏡と、前記鍔に設けられる前記眼鏡が通ることができるスリット状の貫通孔とを有する眼鏡付き帽子である。なお、「スライド可能」とはほぼ上下に平行移動できることを意味し、多少前後動する場合も含まれる。
請求項２に記載の発明は、前記眼鏡付き帽子において、前記眼鏡は任意のスライド位置で固定可能に形成されるものである。
請求項３に記載の発明は、前記眼鏡付き帽子において、前記貫通孔の内側に前記眼鏡の表面を拭くことができる部材からなる眼鏡拭き部が形成されるものである。
【発明の効果】
【０００５】
請求項１に記載の発明は、眼鏡の収納時には頭部前面に沿って眼鏡を収納できるので、重くならず、また、眼鏡も視界にほとんど入らず、また、使用時にも眼鏡が顔面を圧迫することがなく、さらに、着脱時においても帽子を脱ぐ必要もないので、快適に装着することができる。また、眼鏡が直接頭部に接触することがないので比較的安全な構成とすることができる。
請求項２に記載の発明は、眼鏡が任意の位置で固定可能であるので、使用者の好みに応じて眼鏡の位置を調整することができる。
請求項３に記載の発明は、貫通孔内に形成される眼鏡拭き部により、眼鏡を収納する際及び眼鏡を装着する際に、眼鏡が貫通孔を通り、その度ごとに眼鏡が拭かれるので、眼鏡の表面をきれいな状態に保つことができる。
【発明を実施するための最良の形態】
【０００６】
以下、本発明の実施の形態について、図面を参照しながら説明する。
図１に本発明の形態に係る眼鏡付き帽子Ｘの斜視図を示す。本眼鏡付き帽子Ｘは、キャップ型の鍔付きの帽子を構成する帽子本体１０と、アクリル製のサングラスを構成する眼鏡２０、眼鏡２０の両端を上下にスライド可能に帽子本体１０前面表面１０ａに支持するスライド支持体３０、帽子本体１０の鍔１１の付け根近傍に設けられる眼鏡２０が通ることができるスリット状の貫通孔部４０とから構成される。
帽子本体１０はスライド支持体３０及び貫通孔部４０が設けられる以外は一般的なキャップ型の帽子と同じ構成を有する。眼鏡２０は色の付いた紫外線透過率を低下させる加工が施されたアクリルの板体により、帽子本体の前面表面１０ａに沿うように曲面状に形成されている。また、下端は鼻筋が当たらないように切り欠きが形成されている。
【０００７】
スライド支持体３０は、帽子本体１０に固定されるレール３１とレール内３１で摺動するスライダー３２とから構成される。レール３１は上下方向に伸びる溝からなるレールを有しており帽子本体１０前面の左右の２箇所に固定されている。スライダー３２は扁平な直方体状でレール３１に面する下面にレール３１に係合する図示しない係合部が設けられている。スライダー３２はレール３１に対してややきつく係合しているので、任意の位置で固定することができる。また、スライダー３２は、図２に示すようにレール３１に摺動可能に固定される台座部３２ｂと、台座部３２ｂの一端に形成されるヒンジにより回動可能に台座部３２ｂに連結される台座部３２ｂとほぼ同じ形状の蓋部３２ａとから形成されている。そして、台座部３２ｂには円筒体３２ｂａが２つ突出するように設けられ、蓋部３２ａには台座部３２ｂの円筒体３２ｂａ内に嵌合できる円柱体３２ａａが対応する位置に設けられており、円筒体３２ｂａと縁柱体３２ａａとが係合することで、蓋部３２ａは台座部３２ｂに係合して閉じることができる。一方、眼鏡２０の両端部には円筒体３２ｂａが貫通できる係合穴２１が設けられており、この係合穴２１を円筒体３２ｂａに通した後に、蓋部３２ａの円柱体３２ａａを円筒体３２ｂａに係合させて蓋部３２ａを閉じることで眼鏡２０は円筒体３２ｂａにより支持されるとともに、蓋部３２ａと台座部３２ｂとにより挟持固定される。また、このような構造により、眼鏡部２０は必要に応じてスライダー３２から取り外せることとなる。
【０００８】
貫通孔部４０は、帽子本体１０の鍔１１の付け根近傍に設けられる帽子本体前縁部に沿うように形成されるスリット状の貫通孔４０ａに枠体４０ｂを設けたものである。図３に貫通孔部４０近傍の拡大縦断面図を示す。図に示すように、枠体４０ｂは、上枠４１、下枠４２、眼鏡拭き部４３とから構成される。上枠４２は貫通孔４０ａに沿う円弧状の形状をした板体で貫通孔４０ａよりもやや大きく形成される。上枠４１の内側には貫通孔４０ａよりも細い孔４１ａが形成されるとともに、下面側にこの孔４１ａを囲むように外面に溝が形成された薄い板からなる係合壁４１ｂが設けられる。下枠４２も貫通孔４０ａに沿う円弧状の形状をした板体で貫通孔４０ａよりもやや大きく形成される。下枠４２の内側にも貫通孔４０ａよりも細い孔４２ａが形成されるとともに、上面側にこの孔４１ａを囲むように内面に前記上枠４１の係合壁４１ｂの溝に係合する凸部が形成されることで前記係合壁４１ｂに係合する、薄い板からなる被係合壁４２ｂが設けられる。この被係合壁４２ｂの外面は鍔１１に形成される貫通孔４０ａの内面にほぼ一致する。上枠４１と下枠４２とはこのような構成を有することで、貫通孔４０ａ内で係合壁４１ｂと被係合壁４２ｂと係合すること上下から鍔１１を挟むようにして鍔１１に固定することができる。なお、上枠４１の係合壁４１ｂは孔４１ａよりも外側に離れて形成されるので、上枠４１と下枠４２とを係合すると、真ん中に溝４１ｃが形成される。
眼鏡拭き部４３は、この溝４１ｃに係合する凸条を外周に有する孔４１ａおよび孔４２ａ内に係合する円弧状の細長い円筒形状を有する合成樹脂から成る支持体４３ａと、この支持体４３ａの内周面沿ってに接着される眼鏡を拭くのに適した布体４３ｂとから構成される。眼鏡拭き部４３は、上枠４１と下枠４２とを係合させる際に内部に挟むことで上枠４１と下枠４２との間に固定することができる。上記眼鏡２０は、この眼鏡拭き部４３の布体に挟まれるように眼鏡拭き部４３の内部を摺動するような厚さと形状を有しているので、眼鏡２０を上下させる度に表面が拭かれて磨かれることになる。
【０００９】
次に、以上のような構成を有する眼鏡付き防止Ｘの使用方法について説明する。
使用者は、日差しが弱い場所などでは、図４（ａ）の正面図に示すように、スライド支持体３０のスライダー３２を上方へ引き上げた状態とすることで、眼鏡２０を帽子本体１０の前面表側へ位置付けて、帽子本体１０を着用する。この状態では、眼鏡２０は使用者の視界にほとんど入ることがなく、通常の帽子として使用することができる。次に、日差しが強い場所などにおいては、図４（ｂ）の正面図に示すようにスライド支持体３０のスライダー３２を下方へ引き下げた状態とすることで、眼鏡２０を鍔１１から下方へと移動させて使用者の眼の前に位置付ける。この際、枠体４１の眼鏡拭き部４３により眼鏡２０の表面が拭かれることとなる。また、使用者は好みに応じてスライダー３２の位置を調整することで眼鏡２０の高さを調節する。この状態で、使用者は眼鏡２０を装着した状態となり、使用者の眼は眼鏡２０により保護されることとなる。さらに眼鏡２０を使用する必要がなくなればスライダー３２を上方へと引き上げることで、眼鏡２０を図４（ａ）の状態へ戻せばよい。この際、眼鏡２０の表面は再び枠体４１の眼鏡拭き部４３により拭かれることとなる。
このように、本実施形態に係る眼鏡付き帽子Ｘは、眼鏡２０の収納時において眼鏡２０は帽子本体１０の前面に位置するので、重くならず、また、視界に眼鏡がほとんど入らない。また、眼鏡２０の使用時に顔面を圧迫することがなく、帽子本体１０を装着したまま眼鏡２０の着脱を行うことができる。また、スライダー３２の位置を調整することで眼鏡２０の位置の上下位置の調整をすることができる。さらに、貫通孔部４０ａの眼鏡拭き部４３により、眼鏡２０を着脱する度に眼鏡２０の表面が拭かれるので眼鏡２０をきれいな状態に保つことができる。さらに、眼鏡２０を洗いたいような場合には、眼鏡２０をスライダー３２を開いて取り外すこともできる。
【００１０】
なお、上記実施形態では、帽子本体１０としてキャップ型の帽子を例示したが、鍔のついた帽子であればどのような帽子でも帽子本体１０として使用することができ、カーボーイハットや麦わら帽子等種々の帽子を用いることができる。
また、眼鏡２０、スライド支持体３０、貫通孔部４０の材質、形状や構造は機能を果たすことができれば種々のものを採用することができる。例えば、上記実施形態では、スライド支持体３０は帽子の前面において眼鏡２０を上下にスライドさせるように支持する形態を採っているが、このほかにも眼鏡２０につるを設けてツルの端部を回動自在に固定するような形態も考えられる。このような形態によっても眼鏡２０を上下にスライド可能に保持することができる。
【図面の簡単な説明】
【００１１】
【図１】実施形態に係る眼鏡付き帽子を示す斜視図である。
【図２】実施形態に係る眼鏡付き帽子の一部分解斜視図である。
【図３】実施形態に係る眼鏡付き帽子の貫通孔部近傍の拡大縦断面図である。
【図４】（ａ）は眼鏡を収容した状態の眼鏡付き帽子を示す正面図であり、（ｂ）は眼鏡を装着した状態の眼鏡付き帽子を示す正面図である。
【符号の説明】
【００１２】
X  眼鏡付き帽子
１０  帽子本体
１１  鍔
２０  眼鏡
３０  スライド支持体
４０  貫通孔部
４３  眼鏡拭き部
【図１】
2007138350.tif 000003
【図２】
2007138350.tif 000004
【図３】
2007138350.tif 000005
【図４】
2007138350.tif 000006